(57)【要約】【課題】パネルを容易に反転することができるパネル反転装置を提供することを課題とする。【解決手段】第１の載置板２及び第２の載置板３を開いた状態で第１の載置板２の表面上にパネルを載置した後に、第２の載置板３を反転作業台１のロック側Ａへ回動させて第１の載置板２の上に重ね合わせると、ロック部材４が第１の載置板２の他端部に係合して第１の載置板２と第２の載置板３とが一体に結合された状態に自動的にロックされる。次に、第１の載置板２及び第２の載置板３を共に反転作業台１の解除側Ｂへ回動させると、第１の載置板２及び第２の載置板３の間に挟持されたパネルが表裏反転されると共に、ロック解除部材によりロック部材４によるロックが自動的に解除される。第１の載置板２のみを反転作業台１のロック側Ａへ戻し、その状態で第２の載置板３の上から反転されたパネルが取り出される。【選択図】図１
2005225637.tif 000002
【特許請求の範囲】
【請求項１】
共通の回動軸を中心に回動されて開閉されると共に互いに重ね合わされることによりパネルを両側から挟んで保持する第１の載置板及び第２の載置板と、
前記第１の載置板の上に前記第２の載置板を重ね合わせた状態に自動的にロックするロック部材と
を備え、前記第１の載置板の上にパネルを載置してこのパネルの上に前記第２の載置板を重ね合わせてロックし、その状態で前記共通の回動軸を中心に前記第１の載置板及び前記第２の載置板を共に回動させて反転させることによりパネルを反転する
ことを特徴とするパネル反転装置。
【請求項２】
前記第１の載置板及び前記第２の載置板を共に反転させたときに前記ロック部材によるロックを自動的に解除するロック解除部材をさらに備えることを特徴とする請求項１に記載のパネル反転装置。
【請求項３】
前記第１の載置板及び前記第２の載置板の少なくとも一方には、回動時に補助力を付与するための補助力付与手段が取り付けられていることを特徴とする請求項１または２に記載のパネル反転装置。
【請求項４】
前記第１の載置板及び前記第２の載置板の互いに対向する面にはそれぞれパネルの表面に当接する弾性体が配置されていることを特徴とする請求項１〜３のいずれか一項に記載のパネル反転装置。
【発明の詳細な説明】
【技術分野】
【０００１】
この発明は、パネル反転装置に係り、特に液晶表示装置等に用いられるパネルを反転する装置に関する。
【背景技術】
【０００２】
例えば、特許文献１には、液晶表示装置等に用いられるパネルを表裏反転するための装置が開示されている。このパネル反転装置では、第１の載置板の上にパネルを載置し、その状態でこの第１の載置板を反転冶具の回動軸部材に取り付けた後、この第１の載置板上に第２の載置板を重ね合わせてこれら第１及び第２の載置板をクリップにより互いに固定し、その状態でこれら第１の載置板及び第２の載置板を反転させることによりパネルが反転される。
【０００３】
【特許文献１】特開平１０−１６７４６７号公報
【発明の開示】
【発明が解決しようとする課題】
【０００４】
しかしながら、上述のパネル反転装置では、パネルが載置された第１の載置板を回動軸部材に取り付けたり、第１の載置板上に第２の載置板を重ねた後にクリップを用いてこれら一対の載置板を固定する必要があり、手間がかかるという問題があった。
この発明はこのような問題点を解消するためになされたもので、パネルを容易に反転することができるパネル反転装置を提供することを目的とする。
【課題を解決するための手段】
【０００５】
この発明に係るパネル反転装置は、共通の回動軸を中心に回動されて開閉されると共に互いに重ね合わされることによりパネルを両側から挟んで保持する第１の載置板及び第２の載置板と、第１の載置板の上に前記第２の載置板を重ね合わせた状態に自動的にロックするロック部材とを備え、第１の載置板の上にパネルを載置してこのパネルの上に第２の載置板を重ね合わせてロックし、その状態で共通の回動軸を中心に第１の載置板及び第２の載置板を共に回動させて反転させることによりパネルを反転するものである。
【０００６】
第１の載置板の上にパネルを載置してその上から第２の載置板を重ね合わせると、ロック部材により第１の載置板及び第２の載置板が一体に固定された状態に自動的にロックされる。次に、第１の載置板及び第２の載置板を共に回動させて反転させると、第１の載置板及び第２の載置板の間に挟持されたパネルが表裏反転される。
【０００７】
第１の載置板及び第２の載置板を共に反転させたときに、ロック部材によるロックを自動的に解除するロック解除部材をさらに備えることが好ましい。ロック部材によるロックがロック解除部材により自動的に解除されれば、パネルの反転作業がより容易になる。
また、第１の載置板及び第２の載置板の少なくとも一方には、回動時に補助力を付与するための補助力付与手段が取り付けられていることがより好ましい。補助力付与手段から補助力が付与されることにより、第１の載置板及び第２の載置板の回動に要する力が低減され、作業者は載置板の回動を容易に行える。
さらに、第１の載置板及び第２の載置板の互いに対向する面にはそれぞれパネルの表面に当接する弾性体が取り付けられていることが好ましい。弾性体がパネルの表面に当接することにより、パネルはその表面を保護されながら確実に保持される。
【発明の効果】
【０００８】
この発明によれば、第１の載置板の上にパネルを載置してこのパネルの上に第２の載置板を重ね合わせるとロック部材により自動的に第１の載置板と第２の載置板とが互いに固定され、その状態で共通の回動軸を中心に第１の載置板及び第２の載置板を共に回動させて反転させることによりパネルを反転するようにしたので、パネルを容易に反転することができる。
【発明を実施するための最良の形態】
【０００９】
以下、この発明の実施の形態を添付図面に基づいて説明する。
図１に、この発明の実施の形態に係るパネル反転装置の全体構成を示す。このパネル反転装置は、ガラス板等のパネルを表裏反転するためのものであり、その作業を行うための反転作業台１を有している。この反転作業台１のほぼ中央には回動軸部材１ａが突出形成されると共に、この回動軸部材１ａに第１の載置板２及び第２の載置板３の一端部がそれぞれヒンジ結合されている。これら第１の載置板２及び第２の載置板３は回動軸部材１ａを共通の回動軸として回動されて開閉されると共に、第１の載置板２及び第２の載置板３は、互いに対向する面とは反対側の裏面でそれぞれ反転作業台１により支持されるように構成されている。なお、反転作業台１において、図１に示されるように第１の載置板２及び第２の載置板３を互いに開いたときに第１の載置板２が位置する側をロック側Ａ、第２の載置板３が位置する側を解除側Ｂと呼ぶことにする。
【００１０】
また、第１の載置板２及び第２の載置板３の互いに対向する表面には、多孔質の樹脂からなる矩形状の弾性体２ａ及び３ａがそれぞれ固定されている。また、第２の載置板３の他端部には、第１の載置板２の他端部に係合して第１の載置板２と第２の載置板３とを一体に結合された状態にロックするためのロック部材４が取り付けられている。さらに、反転作業台１と第２の載置板３との間には、第２の載置板３の回動時に補助力を付与する手段としてガスダンパ５が取り付けられている。なお、ここでは図示を省略しているが、反転作業台１と第１の載置板２との間にも、ガスダンパ５と同様のものが取り付けられており、第１の載置板２の回動時に補助力が付与される。
【００１１】
また、図２に示されるように、ロック部材４は第２の載置板３の他端部に回動自在に取り付けられている。ロック部材４はその一端にフック部４ａを、その他端にレバー部４ｂをそれぞれ有しており、バネ６によりロック部材４はそのフック部４ａが第２の載置板３の表面に向かうように付勢されている。また、反転作業台１の解除側Ｂの側部には、第２の載置板３がこの反転作業台１の解除側Ｂに位置するときにロック部材４のレバー部４ｂをバネ６の付勢力に抗する方向に押圧するロック解除部材７が配置されている。
図３に示されるように、第２の載置板３を反転作業台１のロック側Ａへ回動させて第１の載置板２の上に重ね合わせると、ロック部材４のフック部４ａが第１の載置板２の他端部に係合して、第１の載置板２及び第２の載置板３の他端部が互いに固定された状態に自動的にロックされる。また、図２に示されるように、第１の載置板２及び第２の載置板３を共に解除側Ｂへ回動させて表裏反転させると、ロック部材４のレバー部４ｂがロック解除部材７によりバネ６の付勢力に抗する方向に押圧されて、ロック部材４によるロックが自動的に解除される。
【００１２】
次に、この発明の実施の形態に係るパネル反転装置の動作を説明する。まず、図１に示されるように、第１の載置板２及び第２の載置板３を互いに開いた状態で、第１の載置板２表面の弾性体２ａの上に図示しないパネルを載置する。さらに、その状態で、第２の載置板３を回動軸部材１ａを中心に反転作業台１のロック側Ａへ回動させて第１の載置板２の上に重ね合わせると、ロック部材４のフック部４ａが第１の載置板２の他端部に係合し、これにより第１の載置板２と第２の載置板３とが一体に結合された状態に自動的にロックされる。このとき、パネルは第１の載置板２と第２の載置板３との間に挟まれた状態となるが、これら第１及び第２の載置板２及び３の表面に配置された弾性体２ａ及び３ａがパネルの表面に当接することにより、パネルはその表面を保護されながら確実に保持される。また、パネルの厚さのバラツキに対応できるため、汎用性が向上する。
【００１３】
次に、第１の載置板２及び第２の載置板３を共に回動軸部材１ａを中心に反転作業台１の解除側Ｂへ回動させると、第１の載置板２及び第２の載置板３の間のパネルが表裏反転される。このとき、ロック解除部材７によりロック部材４のレバー部４ｂがバネ６の付勢力に抗する方向に押圧され、これによりロック部材４によるロックが自動的に解除される。そこで、第１の載置板２のみを回動させて反転作業台１のロック側Ａへ戻し、その状態で第２の載置板３の上から反転されたパネルが取り出される。
このようにして、パネルの反転作業を容易に行うことができる。
また、第１の載置板２及び第２の載置板３にそれぞれ取り付けられたガスダンパ５から補助力が付与されることにより、第１の載置板２及び第２の載置板３の回動に要する力が低減され、作業者は容易にこれら第１及び第２の載置板２及び３を回動させることができる。
【００１４】
なお、上述の実施の形態において、パネルとして、例えば液晶表示装置に用いられ且つ既に内部にパターンが作成された一対のガラス板や、ガラス板単体を反転させることができ、例えば１ｍ×１ｍ程度の大きさのものを反転させることができる。また、脆性材料からなるパネルでもよく、既に片面に切り込みなどを入れられたパネルでもよい。
また、パネルの表面に凹凸があっても、第１の載置板２及び第２の載置板３表面の弾性体２ａ及び３ａにより吸収されるため、表面に凹凸のあるパネルも反転させることができる。また、これら弾性体２ａ及び３ａによりパネルの厚みも吸収されるため、厚みの異なるパネルでもそれぞれ反転させることができる。
【００１５】
また、上述の実施の形態では、ガスダンパ５を用いたが、その代わりに、バネなどの機械的な弾性部材を補助力付与手段として用いることもできる。
また、第１の載置板２及び第２の載置板３の表面に固定される弾性体２ａ及び３ａは、多孔質の樹脂からなるものに限定されず、パネルの表面を保護しながらこのパネルを確実に保持できるものであれば、どのようなものからなる弾性体でも用いることができる。
さらに、上述の実施の形態では、ロック部材を第２の載置板３の他端部に設けたが、第１の載置板２の他端部に設けてもよい。また、他端部に限らず、第１の載置板２または第２の載置板３の側部に設けてもよい。
また、上述の実施の形態では第１の載置板２および第２の載置板３は四角形であるが、この形状に限定されない。共通の回動軸を中心に回動されて開閉されると共に互いに重ね合わされることによりパネルを両側から挟んで保持することができれば形状は問わない。例えば円形でも良いし、多角形でも良い。
【図面の簡単な説明】
【００１６】
【図１】この発明の実施の形態に係るパネル反転装置を示す斜視図である。
【図２】実施の形態におけるロック部材近傍の構造を示す拡大正面図である。
【図３】実施の形態におけるロック時のロック部材近傍の構造を示す拡大正面図である。
【符号の説明】
【００１７】
１  反転作業台、１ａ  回動軸としての回動軸部材、２  第１の載置板、２ａ，３ａ  弾性体、３  第２の載置板、４  ロック部材、４ａ  フック部、４ｂ  レバー部、５  ガスダンパ、６  バネ、７  ロック解除部材、Ａ  ロック側、Ｂ  解除側。
【図１】
2005225637.tif 000003
【図２】
2005225637.tif 000004
【図３】
2005225637.tif 000005